(57)【要約】      （修正有）【課題】ホストコンピュータを必要としない入退出管理システムを提供する。【解決手段】照合端末Ｖ１〜Ｖ６の処理部１１は、上記第1あるいは第２読み取り部８，９のいずれかが個人情報を読み取ったとき、その読み取り情報に応じて当該個人情報で特定された人がいずれのエリアに所在するかを判定する機能と、その判定したエリア情報と上記個人特定情報とを対応付けて全ての照合端末Ｖ１〜Ｖ６に通信する機能と、各照合端末Ｖ１〜Ｖ６が送受信したエリア情報と上記個人特定情報とを対応付けた情報を記憶部１０に記憶させる機能と、上記特定の人が所在するエリアを特定するとともに、その特定されたエリアから、上記記憶部１０に記憶された出入り口で結ばれたエリアへの通行のみを許可する機能とを備えている。【選択図】図１
2011044082.tif 000002
【特許請求の範囲】
【請求項１】
複数の部屋等からなる各エリアの出入り口に、相互に接続された照合端末を設置する一方、これら照合端末は、出入り口の一方から他方に向かう人の個人特定情報を読み取る第1読み取り部と、出入り口の他方から一方に向かう人の個人特定情報を読み取る第２読み取り部と、当該照合端末を設置した出入り口で結ばれたエリアを特定するエリア情報をあらかじめ記憶する記憶部と、処理部とを備え、この処理部は、上記第1あるいは第２読み取り部のいずれかが個人情報を読み取ったとき、その読み取り情報に応じて当該個人情報で特定された人がいずれのエリアに所在するかを判定する機能と、その判定したエリア情報と上記個人特定情報とを対応付けて全ての照合端末に通信する機能と、各照合端末が送受信したエリア情報と上記個人特定情報とを対応付けた情報を記憶部に記憶させる機能と、上記特定の人が所在するエリアを特定するとともに、その特定されたエリアから、上記記憶部に記憶された出入り口で結ばれたエリアへの通行のみを許可する機能とを備えた入退出管理システム。
【発明の詳細な説明】
【技術分野】
【０００１】
この発明は、部屋等からなる複数のエリア間の通行を制御する入退出管理システムに関する。
【背景技術】
【０００２】
部屋等の複数のエリア間における出入り口に端末を設け、これら端末をシステム的に連係して各エリア間の通行を制御する入退出管理システムとして、図３に示すものが従来から知られている。
【０００３】
この従来のシステムは、図２に示す各部屋Ｅ１〜Ｅ３に出入り口Ｇ１〜Ｇ６を設けた建造物に用いるもので、図３からも明らかなように、上記出入り口Ｇ１〜Ｇ６には、カードや携帯端末に記憶された情報あるいは生体情報等からなる個人情報を読み取るリーダー端末Ｒ１〜Ｒ６を設け、これらリーダー端末Ｒ１〜Ｒ６をホストコンピュータＣに接続するとともに、各リーダー端末Ｒ１〜Ｒ６には電気錠１〜６を接続している。
【０００４】
また、上記リーダー端末Ｒ１〜Ｒ６は、出入り口Ｇ１〜Ｇ６を通過した人が、どの方向から来たかを認識できるようにしている。例えば、部屋Ｅ１の出入り口Ｇ１に設けたリーダー端末Ｒ１であれば、外から部屋Ｅ１に入ったのか、あるいは部屋Ｅ１から外に出ていったのかを認識できるようにしている。
上記のようにしてリーダー端末Ｒ１〜Ｒ６が認識した情報は、すべてホストコンピュータＣに入力されるが、このホストコンピュータＣはリーダー端末Ｒ１〜Ｒ６からその情報が入力したとき、次のように機能する。
【０００５】
ホストコンピュータＣに、例えば出入り口Ｇ１から部屋Ｅ１に特定の個人Ｘが入室したという情報がリーダー端末Ｒ１から入力したとする。
ホストコンピュータＣは、出入り口Ｇ１〜Ｇ４のリーダー端末Ｒ１〜Ｒ４に対して、個人Ｘの情報を認識したときには電気錠１〜４を解錠せよという命令を出力するが、他の出入り口Ｇ５，Ｇ６のリーダー端末Ｒ５，Ｇ６に対しては、そのような命令を出力しない。
その結果として、個人Ｘは出入り口Ｇ１〜Ｇ４を通行することができるが、出入り口Ｇ５，Ｇ６は通行できなくなる。
【０００６】
つまり、ホストコンピュータＣには、どのリーダー端末が当該個人の入退出情報を認識したかに応じて、どの出入り口のリーダー端末に対して上記命令を出力するかという制御体系をあらかじめすべて記憶させている。このようにすべての制御体系をあらかじめ記憶しているので、ホストコンピュータＣは、いずれのリーダー端末が、特定の個人の入退出情報を認識したとき、その特定の個人が現在いる場所から通行できる部屋を認識できることになる。
【先行技術文献】
【特許文献】
【０００７】
【特許文献１】特開２０００−２４２８１９号公報
【発明の概要】
【発明が解決しようとする課題】
【０００８】
上記のようにした従来の入退出システムでは、リーダー端末以外にホストコンピュータＣを必要とするので、それがコストアップの要因になっていた。
また、ホストコンピュータＣに制御体系のすべてを記憶させなければならないので、管理すべき個人の数や出入り口の数が多くなると、ホストコンピュータＣの処理速度が遅くなってしまうという問題があった。
この発明の目的は、ホストコンピュータを必要とせず、しかも、管理すべき情報量が多くなっても処理速度が遅くならない入退出管理システムを提供することである。
【課題を解決するための手段】
【０００９】
この発明は、複数の部屋等からなる各エリアの出入り口に、相互に接続された照合端末を設置する。そして、これら照合端末は、出入り口の一方から他方に向かう人の個人特定情報を読み取る第1読み取り部と、出入り口の他方から一方に向かう人の個人特定情報を読み取る第２読み取り部と、当該照合端末を設置した出入り口で結ばれたエリアを特定するエリア情報をあらかじめ記憶する記憶部と、処理部とを備えている。
【００１０】
上記処理部は、第1あるいは第２読み取り部のいずれかが個人情報を読み取ったとき、その読み取り情報に応じて当該個人情報で特定された人がいずれのエリアに所在するかを判定する機能と、その判定したエリア情報と上記個人特定情報とを対応付けて全ての照合端末に通信する機能と、各照合端末が送受信したエリア情報と上記個人特定情報とを対応付けた情報を記憶部に記憶させる機能と、上記特定の人が所在するエリアを特定するとともに、その特定されたエリアから、上記記憶部に記憶された出入り口で結ばれたエリアへの通行のみを許可する機能とを備えている。
【００１１】
上記照合端末の両読み取り部は、例えば磁気カードやＩＣチップを埋め込んだカードの識別情報を読み取るものであってもよいし、携帯電話のＩＤ等を読み取るものであってもよい。さらに、テンキーやパスワード入力装置を用いてもよし、生体情報識別装置をもちいてもよい。
【００１２】
この発明の入退出管理システムは、照合端末が各出入り口に設けられていることに着目したものである。すなわち、各出入り口で、特定の個人の出入りを識別できれば、その特定の個人が今現在どのエリアにいるのかを認識できる。しかも、当該エリアを起点にした移動可能エリアも、エリアとその出入り口の物理的な配置等から決められることになる。
【００１３】
したがって、特定の照合端末が特定の個人の入退出を認識したとき、システム的には、その特定の個人がどのエリアにいるのかを認識できるとともに、その情報をすべての照合端末に記憶させることによって、個々の照合端末は、自分が特定の個人の現在の所在から移動可能エリアにいるかどうかを論理的に判別できる。
【００１４】
そこで、この入退出管理システムでは、当該照合端末を設置した出入り口で結ばれたエリアを特定するためのエリア情報を、照合端末にあらかじめ記憶させている。そして、照合端末は、個人が今現在所在する上記エリアを起点にして、出入り可能なエリア間でのみの通行を許可する機能を保持させている。なお、その出入りの方向は、第１読み取り部あるいは第２読み取り部のいずれの読み取り部で個人情報を読み取ったかによって判定できる。
【発明の効果】
【００１５】
上記のようにした入退出管理システムによれば、ホストコンピュータを必要としないので、その分コストダウンを図ることができる。
また、各照合端末が記憶すべき情報量、すなわち通行を許可するかどうかを決めるための情報量は、エリアとその出入り口の物理的な配置等から必然的に決められるエリア情報と個人情報とを基にして最小限にとどめておくことができるので、その分、記憶容量を大きくしなくても高速処理を実現できる。
【００１６】
さらに、上記のように照合端末の相互関係を特定するための情報量は最小限に保てるので、その分、管理すべき個人の情報量を相対的に多くすることができる。したがって、全体的には、エリア数が多い中でも、多人数の管理が可能になる。
【図面の簡単な説明】
【００１７】
【図１】システム図である。
【図２】各エリアの配置と出入り口の設置状況を示した説明図である。
【図３】図３は従来のシステム図である。
【発明を実施するための形態】
【００１８】
この発明の実施形態も図２に示す建造物に用いるもので、この建造物の構造は、従来と同様である。ただし、この発明は、建造物の部屋の管理だけではなく、エリアを区画したもので、その区画されたエリア間の入退出を制御するものであればどのようなものにも用いることができる。
【００１９】
図２に示した建造物の各部屋Ｅ１〜Ｅ３のそれぞれの出入り口Ｇ１〜Ｇ６には、ランケーブル７で相互に接続された照合端末Ｖ１〜Ｖ６を設けているが、これら照合端末Ｖ１〜Ｖ６は、第１，２読み取り部８，９と、記憶部１０と、これら第１，２読み取り部８，９および記憶部１０を接続した処理部１１とからなる。
なお、上記ランケーブルに代えて、無線などあらゆる通信手段を用いてもよい。
また、図中符号１２は、照合端末Ｖ１〜Ｖ６の信号に応じて施解錠する電気錠である。
上記記憶部１０には、照合端末Ｖ１〜Ｖ６を設置した出入り口Ｇ１〜Ｇ６で結ばれた部屋Ｅ１〜Ｅ３を特定するエリア情報があらかじめ記憶されている。
【００２０】
例えば、出入り口Ｇ１，Ｇ２に設けた照合端末Ｖ１，Ｖ２の記憶部１０には、外のエリアＥ０と中の部屋Ｅ１とが出入り口Ｇ１，Ｇ２を介して結ばれているという情報が記憶されている。また、出入り口Ｇ３に設けた照合端末Ｖ３の記憶部１０には出入り口Ｇ３を介して部屋Ｅ１とＥ２とが結ばれている旨の情報が記憶されている。その他の出入り口Ｇ４〜Ｇ６に設けた照合端末Ｖ４〜Ｖ６の記憶部１０にも、それら出入り口Ｇ４〜Ｇ６を介してどの部屋が結ばれているかという情報が記憶されている。
【００２１】
上記第１，２読み取り部８，９は、例えば磁気カードやＩＣチップを埋め込んだカードの識別情報を読み取るものであってもよいし、携帯電話のＩＤ等を読み取るものであってもよい。さらに、生体情報を識別するものであってもよい。いずれにしても、個人を特定するための情報を読み取る機能さえあれば、いずれであってもよい。
【００２２】
そして、上記第１読み取り部８は、出入り口の一方から他方に向かう人の個人特定情報を読み取り、第２読み取り部９は、出入り口の他方から一方に向かう人の個人特定情報を読み取るようにしている。例えば、図２において第１読み取り部８は、（入→出）の方向に向かう人の情報を読み取り、第２読み取り部９は（出→入）の方向に向かう人の情報を読み取る。
【００２３】
さらに、処理部１１は、上記第1あるいは第２読み取り部８，９のいずれかが個人情報を読み取ったとき、その個人情報と読み取り部８あるいは９のいずれで読み取ったかを対応付けて自らの記憶部１０に記憶させるとともに、他の照合端末の処理部１１にもそれら対応付けられた情報を、ランケーブル７を介して伝達する。例えば、照合端末Ｖ１の第１読み取り部８が上記情報を読み取ったら、その処理部１１は、当該個人情報と照合端末Ｖ１の第１読み取り部８が読み取ったことを示す情報とを対応付けて自らの記憶部１０に記憶させる。これと合わせて、上記照合端末Ｖ１の処理部１１は、他のすべての照合端末Ｖ２〜Ｖ６の処理部１１にも、上記対応付けられた情報を、ランケーブル７を介して伝達する。
そして、上記の情報を受け取った照合端末Ｖ２〜６の処理部１１は、自らの記憶部１０に、その対応付けられた情報を記憶させる。
【００２４】
いずれにしても、どの照合端末の第１読み取り部８あるいは第２読み取り部９が、誰の個人情報を読み取ったのかという情報、例えば照合端末Ｖ１の第１読み取り部８が特定の個人が（入→出）の方向に向かったという情報があれば、当該個人が部屋Ｅ１にいることを、システム的には判定できることになる。
【００２５】
そして、ランケーブル７を介して照合端末Ｖ１〜Ｖ６が上記のような情報を受け取ったときには、この情報は、照合端末Ｖ１〜Ｖ６のうち、特定の個人が今現在所在する部屋を起点にして出入りが可能な部屋の出入り口に設けられた照合端末が、第１読み取り部あるいは第２読み取り部のいずれの読み取り部で読み取ったかを条件にして通行を許できることになる。
【００２６】
例えば、出入り口Ｇ１に設置した照合端末Ｖ１の第１読み取り部８に読み取られた個人情報が照合端末Ｖ１〜Ｖ６に伝達されたときには、その特定の個人が部屋Ｅ１にいることを処理部１１が認識するとともに、この部屋Ｅ１を起点して出入り可能な、出入り口Ｇ１〜Ｇ４に設置した照合端末Ｖ１〜Ｖ４の処理部１１にとっては、上記情報が、いずれの読み取り部で読み取ったかを条件にした通行許可命令となる。
【００２７】
したがって、部屋Ｅ１にいる特定の個人が、出入り口Ｇ１，Ｇ２から退出するために第２読み取り部９に個人情報を読み取らせれば、それらの照合端末Ｖ１，Ｖ２はそれに接続した電気錠１２を解錠することになる。また、出入り口Ｇ３あるいはＧ４から部屋Ｅ２あるいはＥ３に入るために、そこに設置した照合端末Ｖ３あるいはＶ４の第１読み取り部８に個人情報を読み取らせれば、それらの照合端末Ｖ３，Ｖ４はそれに接続した電気錠１２を解錠することになる。
【００２８】
これに対して、例えば部屋Ｅ１にいわゆる共連れによって入った者は、上記出入り口Ｇ１の照合端末Ｖ１によって個人情報が読み取られていないので、その共連れで入場した者は、出入り口Ｇ３に設けた照合端末Ｖ３の記憶部１０に上記対応付けられた情報が記憶されていないことになる。したがって、この照合端末Ｖ３の第１読み取り部８に、上記共連れ者の個人情報を読み取らせたとしても、照合端末Ｖ３の処理部１１はエラーとして処理し、電気錠１２を解錠することはない。
【００２９】
また、例えば部屋Ｅ１に正規の個人情報を読み取らせて入った後に、その個人情報の媒体を、部屋Ｅ１の外にいる者に何らかの方法で手渡し、それを手渡された者が、出入り口Ｇ１，Ｇ２，Ｇ６に設けた照合端末Ｖ１，Ｖ２，Ｖ６の第１読み取り部８で、上記媒体を読み取らせたとしても、各照合端末Ｖ１，Ｖ２，Ｖ６は、当該媒体にかかわる個人が、実質的には部屋Ｅ１にいるものと認識しているので、この部屋Ｅ１を起点にして図２の（入→出）に向かうという概念はないことになる。したがって、出入り口Ｇ１，Ｇ２，Ｇ６の電気錠１２が解錠されることはない。
【００３０】
なお、上記実施形態では、一台の照合端末に第１読み取り部と第２読み取り部とを設けたが、図２に入と出とで別々の照合端末を設け、その別々に設けた照合端末の読み取り部で、個別に個人情報を読み取ってもよい。そして、この場合の各照合端末にも、処理部と記憶部とを設けることになる。
【産業上の利用可能性】
【００３１】
建物の部屋の入退出管理に最適である。
【符号の説明】
【００３２】
Ｅ１〜Ｅ３  エリアを示す部屋
Ｇ１〜Ｇ６  出入り口
Ｖ１〜Ｖ６  照合端末
８        第１読み取り部
９        第２読み取り部
１０        記憶部
１１        処理部
【図１】
2011044082.tif 000003
【図２】
2011044082.tif 000004
【図３】
2011044082.tif 000005